(57)【特許請求の範囲】
【請求項１】
水を貯める貯水槽の一側上部に導水部が設けられ、この貯水槽の底部には砂，砂利等の適宜な部材を敷設して成る通水層が設られ、この通水層の一部若しくは全部は導水部から貯水槽の他側にかけて下り傾斜する傾斜通水層に形成されており、また、貯水槽には通水層に浸透した浸透水を該貯水槽外に排出する排水部が設けられ、更に、貯水槽の他側上部には、不純物が沈殿した上澄み部分を取水する開閉弁孔で構成された従排水部が設けられ、前記排水部からの排水を集水する集水部と、前記従排水部からの排水を集水する集水部とが連通せしめられていることを特徴とするろ過装置。
【請求項２】
請求項１記載のろ過装置において、通水層の上に通水マットを敷設したことを特徴とするろ過装置。
【請求項３】
請求項１，２いずれか１項記載のろ過装置において、前記集水部及び集水部の底部位置は、同一水平位置に設定されていることを特徴とするろ過装置。
【請求項４】
請求項１〜３いずれか１項に記載のろ過装置において、前記集水部と集水部とは貯水槽の外に設けられていることを特徴とするろ過装置。
【発明の詳細な説明】
【０００１】
【産業上の利用分野】
本発明は、水を浄化するろ過装置に関するものである。
【０００２】
【従来の技術】
従来からゴルフ場には散水用の水を確保する為に貯水槽が設けられている。
【０００３】
この貯水槽は、雨水や地下水を貯めておき、芝等への散水用として使用される。従って、芝への影響を考え、該水は、鉄，マンガン等の重金属や、窒素，リン等（以下、不純物という。）が含まれている水では好ましくない。また、このような不純物が含まれていたりすると貯水槽に連設される送水管等に該不純物が付着し、送水管を劣化させてしまうという問題もある。
【０００４】
これまでは、ａ貯水槽に貯めた水を単に所定時間放置させ、不純物を沈殿させた後、その上澄みを取り出したり、また、ｂ貯水槽の底部に砂，砂利等を敷設した通水層を形成し、この通水層を通過させて不純物を取り除き、この通水層の下側から水を取り出したり、また、ｃ適宜なろ材と薬剤（例えばイオン化している鉄やマンガンを除去する為に該鉄イオンやマンガンイオンを酸化させるＮａＣｌＯ等）を使用する大掛かりな化学的手段による浄化装置を設けて水を浄化したりしている。
【０００５】
【発明が解決しようとする課題】
ところが、上記ａの手段では、やはり、水を浄化するという点では限界があるとともに、所定時間の放置ということが絶対的な条件となる為、浄化効率が悪いという欠点がある。
【０００６】
また、上記ｂの手段は、反復継続使用すると、通水層が不純物で目詰まりしてしまうという問題がある。特に、その地域の土質により、鉄粉等が通水層に堆積付着し、数日で通水層の通水機能は阻害されてしまうことも往々にして生ずる。従って、この場合には再度新しい砂，砂利等で新たに通水層を形成しなければならず、非常に厄介である。
【０００７】
また、上記ｃの手段は当然のことながらコスト高の欠点を有している。
【０００８】
本発明は上記の欠点を解決したろ過装置を提供するものである。
【０００９】
【課題を解決するための手段】
添付図面を参照して本発明の要旨を説明する。
【００１０】
水を貯める貯水槽２の一側上部に導水部１が設けられ、この貯水槽２の底部には砂，砂利等の適宜な部材を敷設して成る通水層４が設られ、この通水層４の一部若しくは全部は導水部１から貯水槽２の他側にかけて下り傾斜する傾斜通水層４’に形成されており、また、貯水槽２には通水層４に浸透した浸透水を該貯水槽２外に排出する排水部５が設けられ、更に、貯水槽２の他側上部には、不純物が沈殿した上澄み部分を取水する開閉弁孔11で構成された従排水部７が設けられ、前記排水部５からの排水を集水する集水部12と、前記従排水部７からの排水を集水する集水部13とが連通せしめられていることを特徴とするろ過装置に係るものである。
【００１１】
また、請求項１記載のろ過装置において、通水層４の上に通水マット６を敷設したことを特徴とするろ過装置に係るものである。
【００１２】
また、請求項１，２いずれか１項記載のろ過装置において、前記集水部12及び集水部13の底部位置は、同一水平位置に設定されていることを特徴とするろ過装置に係るものである。
【００１３】
また、請求項１〜３いずれか１項に記載のろ過装置において、前記集水部12と集水部13とは貯水槽２の外に設けられていることを特徴とするろ過装置に係るものである。
【００１４】
【作用】
導水部１からの水は、貯水槽２の傾斜通水層４’上を流下し、通水層４に浸透してろ過され、排水部５から貯水槽２外へ排出される。
【００１５】
この際、この傾斜通水層４’上での水の流下により、傾斜通水層４’に堆積している不純物は下方へ洗い流され、傾斜通水層４’の目詰まりは生じない。
【００１６】
【実施例】
図面は、本発明の一実施例を図示したもので、以下に説明する。
【００１７】
コンクリート等で貯水槽２を形成する。この貯水槽は底部には有孔管８（暗渠パイプ）が敷設され、この有孔管８を介して水は貯水槽２の外部に排出されるように構成されている。
【００１８】
また、この貯水槽２の一側には導水部１が形成される。この導水部１には不純物を含有する水が導入され、水位が上昇すると該導水部１からオーバーフローした水が貯水槽２（傾斜通水層４’）に流れ込むように構成されている。
【００１９】
符号９は給水管で、導水部１から均一にオーバーフローさせる為、導水部１の中央に設けられている。
【００２０】
有孔管８の上には下側から順に砕石，砂利，砂が敷設されて通水層４が形成されている。この通水層４は図１，２中の左側に所定面積の水平な平坦通水層４”を残して図１，２中の右側へ上り傾斜となる傾斜通水層４’が形成されている構造である。
【００２１】
この通水層４の上には該砕石，砂利，砂をおさえる為及び不純物を補足する為に通水マット６が敷設され、この通水マット６の上に更に不純物を補足する為に稲藁18が敷設され、更に、この稲藁18をおさえる為に適宜な押さえ部材（木板，鉄板等）が敷設されている。
【００２２】
また、平坦通水層４”位置には貯水槽２の外部と連通する筒体10，10’が２本立設され、この筒体10，10’の上部には貯水槽２内の上澄み部分を取水する為の弁孔11が形成されている。
【００２３】
この弁孔11は例えば電磁弁や電動弁等で任意に開弁，閉弁可能に構成されている。具体的には導水部１から傾斜通水層４’への導水後、３０分後に開弁し、３０分後に閉弁するように構成されている。導水後３０分経過すれば、かなりの不純物が沈殿してしまうからである。
【００２４】
また、貯水槽２外の地面には、排水部５からの排水を集水する筒状の集水部12及び従排水部７からの排水を集水する筒状の集水部13が埋設され、この集水部12及び集水部13は連通管３により連通せしめられ、且つこの集水部12及び集水部13の底部位置は同一水平位置に設定されている。この集水部12へは有孔管８からの水が導入され、また、集水部13へは筒体10，10’の弁孔11からの水が導入される。そして、集水部13に集水された水は適宜な貯部、例えば池等へ主排水管17を介して導入される。
【００２５】
符号14は導水部１内の水を排水する場合の為の排水管、15は貯水槽２が満水になりオーバーフローする等の非常時の為のオーバーフロー管で、排水管16介をして集水部13と連通されている。
【００２６】
尚、イオン化している不純物を酸化沈殿させる為、貯水槽２にＮａＣｌＯ等の適宜な薬剤を添加すると良い。
【００２７】
本実施例は上記構成であるから、例えばゴルフ場の敷地内にある雨水等を貯めた池の水を導水部１を介し、数回に分けて貯水槽２に導入する。即ち、該水を導水部１に導入し、導水部１に導入された水は、該導水部１を満たし、該導水部１をオーバーフローして平均的に傾斜通水層４’に導水され、この水は、該傾斜通水層４’を流下する。
【００２８】
水は稲藁18，通水マット６，通水層４に浸透する為、該水に含有される鉄，マンガン等の不純物は稲藁18，通水マット６，通水層４に補足され、該不純物は稲藁18，通水マット６，通水層４に堆積する。稲藁18，通水マット６，通水層４を通過した水は浄化され、有孔管８を介して貯水層２外に排出される。
【００２９】
水は傾斜通水層４’の流下の際に、稲藁18や通水マット６や傾斜通水層４’に堆積している不純物を洗い流す作用を呈し、該不純物を平坦通水層４”まで搬送する為、稲藁18，通水マット６，傾斜通水層４’が不純物の堆積により目詰まりして通水機能が阻害されるという事態が可及的に抑制される。この洗い流し作用は最表層となる稲藁18において特に顕著となる。
【００３０】
所定量の水を貯水槽２に一日に例えば数回導入して反復継続使用すると、上記洗い流し作用により平坦通水層４”（稲藁18，通水マット６も含む。）に不純物が堆積し、この平坦通水層４”上の通水機能が劣化して来る場合がある。
【００３１】
このような場合には、筒体10，10’の弁孔11を導入部１から水の導入後所定時間後に開弁するようにセットしておくと、この所定時間の経過により貯水槽２に不純物が堆積し、その上澄み部分が弁孔11を介して貯水槽２の外に排出されることになり、有孔管８を介しての排水とともにこの弁孔11を介しての排水も同時に行われ、効率的となる。
【００３２】
また、このように平坦通水層４”に不純物が堆積した場合には、例えば平坦通水層４”の砂，砂利等及び稲藁18，通水マット６を交換するという手段も可能である。この場合、前記従来法と異なり、小さい面積の部分における交換であり、貯水槽２の底部全部の広い面積での交換ではないからその点で非常に作業性が良好となる。
【００３３】
また、稲藁18は、不純物が堆積した場合、そのまま焼却でき、不純物に重金属が含有されている場合、公害問題も生じない（一般に重金属含有の水は、該重金属を除去して廃棄しなければならず、その処理が非常に厄介である。）。
【００３４】
また、本実施例は次の特徴も有している。この点は図３をもとに説明する。
【００３５】
導水部１から貯水槽２へ導入された所定量の水（具体的には一回約１７トンの水）は稲藁18，通水マット６，通水層４を通過し、有孔管８を介して集水部12へ導入される。この有孔管８を介して集水部12へ導入される水は導水部１から貯水槽２へ導入された水の量と比較すれば少量である。
【００３６】
この有孔管８を介して集水部12へ導入される水が少量であるということは、貯水槽２の水がなかなか減少せず、よって、このことはろ過効率が悪いということに直結することになる。
【００３７】
しかし、本実施例の場合、この有孔管８を介して集水部12へ導入される水が少量なのは初期（具体的には弁孔11が開弁するまでの３０分間）だけである。
【００３８】
この点詳述すると、初期においては集水部13内への水の導入はなく、集水部12に有孔管８を介して少量の水が導入されているだけである。
【００３９】
ところが、３０分経過後に筒体10，10’の弁孔11が開弁し、多量の水が集水部13内へ導入されると、水は連通管３を逆流し、集水部12内の水位は上昇し、有孔管８へも当然逆流する。
【００４０】
その後、弁孔11が閉弁し、集水部13内への水の導入が停止すると（集水部13内の水は主排水管17から当然排水されている。）、今度は集水部12内の水は連通管３を介して水位の低い集水部13内へ流れ込む。この際、この集水部12内の水位の急激な降下により負圧ポンプ作用（吸引作用）が呈され、貯水槽２の水が有孔管８内に強く吸引される。
【００４１】
従って、貯水槽２内の水のろ過が非常に迅速に行われ、よって、貯水槽２内の水のろ過効率が非常に高まることになる。具体的には、本実施例のような集水部12，13を設けない場合に比し、約半分の時間で貯水槽２内の水がろ過排出されてしまう。
【００４２】
以上のようにして貯水槽２の外に取り出した浄化された水を例えば、主排水管17を介して散水用水の貯め池等に貯め、芝等への散水に使用する。
【００４３】
本装置は、上記した使用方法の他、例えば、次のようにして使用することも可能である。
【００４４】
(１)  本実施例に係る貯水槽２を複数併設し、複数回のろ過を行う。
【００４５】
(２)  前記した従来法のｃの場合、反復継続使用により、ろ材は不純物により汚れてく      る為、ろ材を洗浄する必要が生じる。このろ材を洗浄した場合のろ材洗浄水は重金      属等の不純物を含有しており、このろ材洗浄水の処理は非常に厄介である（前記し      たようにこのような水をそのまま排出することは環境問題の点で好ましくない。）      。このような場合、本装置の導水部１にこのろ材洗浄水（ろ材を洗浄した後の水）      を導入することで該ろ材洗浄水を浄化できる。
【００４６】
本実施例はこのような(１)，(２)の使用方法も可能である。
【００４７】
【発明の効果】
本発明は上述のようにしたから、非常に簡単に水を浄化し得るろ過装置となる。
【図面の簡単な説明】
【図１】本実施例の説明平面図である。
【図２】本実施例の断面図である。
【図３】本実施例の説明断面図である。
【符号の説明】
１  導水部
２  貯水槽
４  通水層
４’  傾斜通水層
５  排水部
６  通水マット
７  従排水部
11 弁孔
12，13  集水部
【図１】
0003544713.tif 000002
【図２】
0003544713.tif 000003
【図３】
0003544713.tif 000004